(57)【要約】【目的】簡単な構造のトレーを、簡易な方法により製造する方法及びこの製造方法により製造されたトレーを提供する。【構成】半折された帯状フィルムの開放端部と折曲部をそれぞれ内側に折曲し、それぞれ半ガゼット状とガゼット状に形成する工程と、該半ガゼット状とガゼット状に形成した帯状フィルムを間欠的に所定の長さだけ、かつ、移送方向に垂直に１または２本のヒートシール部を形成し、かつ、該ヒートシール部上または２本のヒートシール部の間において該帯状フィルムを切断する工程とからなる。【選択図】    図２
2004292043.tif 000002
【特許請求の範囲】
【請求項１】
半折された帯状フィルムの開放端部と折曲部をそれぞれ内側に折曲し、それぞれ半ガゼット状とガゼット状に形成する工程と、
該半ガゼット状とガゼット状に形成した帯状フィルムを間欠的に所定の長さだけ、かつ、移送方向に垂直に１または２本のヒートシール部を形成し、かつ、該ヒートシール部上または２本のヒートシール部の間において該帯状フィルムを切断する工程と、
からなることを特徴とする簡易トレー製造方法。
【請求項２】
請求項１に記載された簡易トレー製造方法により製造された簡易トレーであって、該簡易トレーの底部がガゼット状からなり、開口部の補強部が半ガゼット状からなることを特徴とする簡易トレー。
【請求項３】
該簡易トレーの開口部の補強部に複数のパンチ穴が設けられ、このパンチ穴が覆われるように裏側が粘着部からなる所定長さのテープが貼られることにより、パンチ穴を通して対抗する補強部同士が接着・剥離できるようになした開閉手段を有することを特徴とする請求項２に記載の簡易トレー。
【請求項４】
ヒートシールされ、かつ、係止孔が１以上設けられた開口部の補強部と、該補強部の近傍に水平方向に設けられた易開封手段と、該開封手段の近傍に水平方向に複数のパンチ穴が設けられ、このパンチ穴が覆われるように裏側が粘着部からなる所定長さのテープが貼られ、パンチ穴を通して対抗する補強部同士を接着・剥離できるようになした開閉手段とを有することを特徴とする請求項２に記載の簡易トレー。
【発明の詳細な説明】
【０００１】
【発明の属する技術分野】
本発明は、スーパー、コンビニエンスストアなどで販売される肉、魚介類などを収納するのに好適な簡易トレー及びその製造方法に係り、さらに詳しくは、薄い柔軟性部材、例えばフィルム状シ−ト部材などを用いて簡単に製作できる簡易トレー及びその製造方法に関する。
【０００２】
【従来の技術】
スーパー、コンビニエンスストアなどにおいては、商品を収納し店頭に陳列する場合、発泡スチロール製トレーが多用されている。かかるトレーは、商品が生産業者などから大量に仕入れられた後、一般消費者への販売に便宜なように小分けされる際、使用されるものであるため、できるだけ簡易な方法により製造でき、簡単な構造であることが望ましい。従来多用されていた発泡スチロール製トレーは、かかる要請をある程度満たすものであった。しかし、運搬・保管の際に嵩張るという問題点や、プラスチック製品は二酸化炭素の発生及びこれに伴う地球の温暖化やダイオキシン類の発生など地球環境の破壊の一因をなしているため、プラスチックの使用量を極力押えなければならないという問題があった。
【０００３】
トレーに限定されず、商品販売に際し商品をいれる物のうち、一般に広く使用されているものとして、２枚重ねにした四角形または長方形のプラスチック製フィルムシートなどの薄い可撓性部材の両端及び下端がシールされることにより形成された袋体を挙げることができる。そしてこのような袋体を基本として、種々の袋体が提供されており、代表例として、該袋体の両側縁を内側に折曲することによりガゼットを具備したもの（以下「ガゼット型包装用袋体」という。）が公知であると公報で説明されている（例えば、特許文献１参照。）。そして、これらの袋体を大量に製造する方法として、帯状のチューブ状フィルムを間欠的にその移送方向に対して直交する方向にヒートシールして及びその近傍で分断して袋体を大量生産することが一般的に行われている。さらに、ガゼット型包装用袋体を大量に製造する方法としては、該チューブ体の移送過程で、該チューブ体の両側縁を内側に折曲することによりガゼット形成することが一般的に行われている。
【０００４】
前記ガゼット折りを底部に利用した袋体も公知であり、例えば、ガゼット折りを底部に利用した植栽用バッグが提案され（例えば、特許文献２参照）、その製造方法が明細書に開示されている。図６を参照して、該製造方法を説明すると、片面にシーラント層を有し、他面にノンシーラント層を有する一枚のラミネートフィルム１を原材とし、内部に連通する１対の袋体３２’からなる底部３２を形成すべく、袋体３２’の互いに対峙する隅部３３近傍に予め小孔３４（または切欠部３４’）を設け、前記シーラント層が内面側となるように配置し、前記底部３２をガゼット折りに折り込んで断面Ｗ字形状の４重構造を形成する。ついで、３方をヒートシーリングすることにより、上方が開口する袋状であるとともに、底部３２をガゼット形状に製袋し、かつ、小孔４（または切欠部４’）を介して、袋体３２’の外側壁に位置するシーラント層の間を接合させ、互いに対峙する袋体３２’の隅部３近傍のみをスポット状に固着する。ついで、前記上方の開口より培土を内部に充填し、この開口をヒートシーリングすると、最終製品が製造できる。
【０００５】
ところで、従来、発泡スチロール製トレーを用いて商品を収納しスーパーなどの店頭に陳列する場合、商品を積載するいわゆる山積みがされることが多いが、消費者は山積みされた商品の中から鮮度や製造年月日などを確認しながら商品を選別し購入するのが一般的である。一方、消費者の選別により比較的鮮度や製造年月日が古いものが店頭に残ってしまう場合、古い商品は、ある時間以降値引き販売される場合も多く、消費者は値引対象商品を探して商品を選別し購入するのが一般的である。
【０００６】
【特許文献１】
特許２５３３０３８号公報（第２頁左欄２１、２２行目）
【特許文献２】
特開２００２−３２５５１３号公報
【０００７】
【発明が解決しようとする課題】
前記発泡スチロール製トレーが今後も多く販売され使用され続けると、環境問題の解決をさらに困難にして環境破壊を加速することになる。このため発泡スチロール製トレーに代えて環境に優しいトレーの研究、開発が必要である。一方、かかるトレーは、商品を一般消費者への販売に便宜なように小分けされる際使用される一過性的なものであるため、その構造は簡単で、製造方法はできるだけ簡易かつ大量に製造できるものであることが必要である。この点、簡易な構造として前記植栽用バッグのような袋体となすことが考えられるが、この製造方法は、植栽用バックとなる所定の縦幅横幅を有する１または２枚のシートを予め形成し、該シートの両端の片面にシーラント層を、他面にノンシーラント層を形成する必要があるため手間がかかり大量生産には適さず、かつ、このための新たな製造装置を必要とするという問題がある。
一方、従来の発泡スチロール製トレーを用いて商品を収納しスーパーなどの店頭において山積みして陳列させる場合、消費者が商品を選別するのが困難であるという問題点や選別する際商品の傷みを誘発するという問題点が存在している。
【０００８】
本発明の目的は、前記問題点に鑑み、従来多用されていた帯状のチューブ状フィルムを間欠的にその移送方向に対して直交する方向にヒートシール及びその近傍で分断して袋体を大量生産する方法を応用することにより、新たな製造装置を購入することを必要とせず、簡単な構造のトレーを、簡易な方法により製造する方法を提供することにある。
【０００９】
本発明の他の目的は、前記簡易な製造方法により製造された簡単な構造を有するトレーを提供することにある。
【００１０】
さらに、本発明の他の目的は、前記簡易な製造方法により製造された簡単構造を有するトレーにおいて、その開口部に開閉手段を設けたトレーを提供することにある。
【００１１】
さらに、本発明の他の目的は、前記簡易な製造方法により製造された簡単な構造を有するトレーにおいて、係止孔を設けてフックにかけられるようにして、商品を宙吊りさせて陳列でき、消費者の選別を容易にすると共に商品の傷みが少なくなるようなトレーを提供することにある。
【課題を解決するための手段】
【００１２】
前記目的は、以下の手段によって達成できる。
【００１３】
すなわち、請求項１の発明は、半折された帯状フィルムの開放端部と折曲部をそれぞれ内側に折曲し、それぞれ半ガゼット状とガゼット状に形成する工程と、該半ガゼット状とガゼット状に形成した帯状フィルムを間欠的に所定の長さだけ、かつ、移送方向に垂直に１または２本のヒートシール部を形成し、かつ、該ヒートシール部上または２本のヒートシール部の間において該帯状フィルムを切断する工程とからなることを特徴とするものである。
【００１４】
請求項２の発明は、請求項１に記載された簡易トレー製造方法により製造された簡易トレーであって、該簡易トレーの底部がガゼット状からなり、開口部の補強部が半ガゼット状からなることを特徴とするものである。
【００１５】
請求項３の発明は、請求項２に記載の簡易トレーにおいて、該簡易トレーの開口部の補強部に複数のパンチ穴が設けられ、このパンチ穴が覆われるように裏側が粘着部からなる所定長さのテープが貼られることにより、パンチ穴を通して対抗する補強部同士が接着・剥離されるようになした開閉手段を有することを特徴とするものである。
【００１６】
請求項４の発明は、請求項２に記載の簡易トレーにおいて、ヒートシールされ、かつ、係止孔が１以上設けられた開口部の補強部と、該補強部の近傍に水平方向に設けられた易開封手段と、該開封手段の近傍に水平方向に複数のパンチ穴が設けられ、このパンチ穴が覆われるように裏側が粘着部からなる所定長さのテープが貼られることにより、パンチ穴を通して対抗する補強部同士が接着・剥離できるようになした開閉手段とを有することを特徴とするものである。
【００１７】
【作用】
請求項１に記載の本発明によれば、特殊な機能を有する新たな装置を用いることなく、公知のガゼット型包装用袋体の製造装置を用いて、簡単な構造からなるトレーを簡易にかつ大量に製造することができる。
また、請求項２または３に記載の発明によれば、プラスチックの使用量を従来多用されていた発泡スチロール製トレーと比較して数段押えることができる。
さらに、請求項３に記載の発明によれば、開口部には開閉手段が設けられているので、販売条件の変更に伴う店頭内での移動も商品を入れたまま自由に行うことができ、消費者も他の袋に移しかえずにそのまま持ちかえることができるようになる。
さらに、請求項４に記載の発明によれば、補強部に設けられた係止孔によりフックにかけることができるので、店頭において商品をフックに吊り下げた状態で陳列でき消費者にとり商品選別が容易になると共に、その際の商品の傷みの誘発を回避できるようになる。
【００１８】
【発明の実施の形態】
以下、本発明の実施の形態について、図面に基づいて説明する。
【００１９】
（第１実施例）図１は、本発明の製造方法で用いられる半折形成された表フィルム部１ａと裏フィルム部１ｂとからなる帯状フィルムシート（以下「半折体４」という）に、ガゼット４ａと半ガゼット４ｂ（４ｂ’４ｂ’）が形成されたものを示す概略斜視図である。すなわち本発明の製造方法では公知の帯状フィルムを採用し、該帯状フィルムはチューブ状に形成されない状態で、移送過程において、または、移送前の別工程において半折りにされた後、該帯状フィルムを巻回したロールから繰り出し帯長手方向に移送される。なお、ここで「半ガゼット」とは、通常チューブ状シートの両側縁が内側に折曲されると内側に向かって１つの山と２つの谷が形成されるところ、２つの谷のみ形成され、１つの山が形成されない状態を意味する。
【００２０】
次いで、長手方向への移送過程において、または、移送前の別工程において、半折体４は、表フィルム部１ａと裏フィルム部１ｂの開放端縁が半折体４の左右いずれかの側縁に来るようになされ、公知のガゼット形成方法によって該半折体４の両側縁が内側に折曲されて、開放端縁においてガゼット４ａと半ガゼット４ｂ（４ｂ’４ｂ’）が形成される。該ガゼット４ａと半ガゼット４ｂ（４ｂ’４ｂ’）の形成方法には、公知のガゼット形成装置を使用することができるが、移送過程において開放端縁のヒートシール工程がある場合は、この部分のヒートシール機能を停止できるものであることが必要である。
【００２１】
図２は、前記形成されたガゼット４ａと半ガゼット４ｂ（４ｂ’４ｂ’）を有する半折体（以下「ガゼット／半ガゼット付半折体４’」という。）に、移送方向に垂直にヒートシールした状態を示す平面図である。すなわち、ガゼット／半ガゼット付半折体４’は、移送過程で間欠的に所定の長さＸだけ、かつ、移送方向に垂直にヒートシールされる。該ヒートシールは近接する２本のヒートシール部８を形成し、ヒートシール後またはヒートシール時に該２本のヒートシール部間の切断線９上において図示しない公知の切断方法によりガゼット／半ガゼット付半折体４’を分断せしめる。ヒートシール部は１本でもよいが、この場合はヒートシール部上において、ガゼット／半ガゼット付半折体４’を分断せしめる必要がある。
【００２２】
（第２実施例）図３は、前記製造方法によって製造された、本発明の第２実施例に係る袋体１４を示す外観斜視図である。すなわち、前記製造方法により形成された前記半ガゼット４ｂ（４ｂ’４ｂ’）部を開口部における補強部となし、前記ガゼット４ａ部を底部となし、かつ、両側部にヒートシールされた袋体１１が形成される。また、補強部の幅は、半ガゼット４ｂ（４ｂ’、４ｂ’）の幅を調整することで調整することができる。さらに、底部の長手方向に垂直の長さは、図２で示すＹの２倍の長さだけ長くすることができ、底部の長手方向の長さは、Ｘ分だけ長くすることができる。
【００２３】
（第３実施例）図４は、前記製造方法によって製造された、本発明の第３の実施例に係る袋体１５を示す外観斜視図であり、図４（ａ）は袋体１５の開閉手段の作成方法を示す説明斜視図、図４（ｂ）は開口部が接着された状態を示す斜視図である。すなわち、袋体１５は、袋体１１と同じ構成からなる袋体１５に、該袋体の開口部に形成された補強部１４ｂの一方（１４ｂ’）に所定の位置に複数のパンチ穴１３を設け、かつ、補強部１４ｂ’上に、パンチ穴１３を覆い被せるように裏面が粘着部からなる所定長さのテープ２４を貼ることにより、パンチ穴１３を通して補強部１４ｂ’とこれに対抗する補強部１４ｂ’’が接着できるようになされた開閉手段１４が設けられている。そして、この例ではパンチ穴１３分のみ粘着部が作用するので補強部１４ｂ’と１４ｂ’’とを剥離して開口部を開くことも容易となる。
【００２４】
（第４実施例）図５は、前記製造方法によって製造された、本発明の第４の実施例に係る袋体１６を示す外観斜視図であり、図５（ａ）は袋体１６の開閉手段の作成方法を説明するための斜視図、図５（ｂ）は係止孔により袋体１６がフックにかけられた状態を示す斜視図である。すなわち、袋体１６には、袋体１６の一方（表フィルム部１ａまたは裏フィルム部１ｂ）において、補強部１９の下部近傍に上記開閉手段１４が設けられている。そして、袋体１６の補強部１９はヒートシールされ１以上の係止孔１７が設けられ、フックに係止できるようになっている。さらに、上記補強部１９と開閉手段１４の間には、易開封手段１８が設けられている。該易開封手段１８は、ヒートシールにより密封された開口部を開封できるものであれば、公知のものであってよく、例えば、図５（ａ）に示した易開封手段１８の太線部分の両端にノッチを設け、かつ、太線部分にはヒートシールなどして破封誘導線を刻設したりしてもよい。また、袋体１６には係止孔１７や易開封手段１８を設けるため帯状フィルムの横幅は、袋体１５を形成する場合の帯状フィルムの横幅よりも広い方が望ましい。
【００２５】
【発明の効果】
以上述べたように、本発明によれば、特殊な機能を有する新たな装置を用いることなく、公知のガゼット型包装用袋体の製造装置を用いて、簡単な構造からなるトレーを簡易にかつ大量に製造することができ、また、プラスチックの使用量を数段押えることができる。さらに、本発明によれば、トレー内に容易に商品を入れることができるだけでなく、商品の移動の際も商品を入れたままの状態で容易に移動させることができるようになる。
さらに、本発明によれば、係止孔によりフックにかけることができるため、商品の陳列の際も吊り下げて陳列できるので、消費者にとり商品選別が容易となると共にその際の商品の傷みの誘発を回避できるようになる。
【図面の簡単な説明】
【図１】本発明の製造方法で用いられる半折体４に、ガゼット４ａと半ガゼット４ｂ（４ｂ’４ｂ’）が形成されたものを示す概略斜視図。
【図２】ガゼット／半ガゼット付半折体４’に、移送方向に垂直にヒートシールした状態を示す平面図。
【図３】本発明の第２実施例に係る袋体１１を示す外観斜視図。
【図４】本発明の第３の実施例に係る袋体１５を示す外観斜視図であり、図４（ａ）は袋体１５の開閉手段の作成方法を示す説明斜視図、図４（ｂ）は開口部が接着された状態を示す斜視図。
【図５】本発明の第４の実施例に係る袋体１６を示す外観斜視図であり、図５（ａ）は袋体１６の開閉手段の作成方法を説明するための斜視図、図５（ｂ）は係止孔により袋体１６がフックにかけられた状態を示す斜視図。
【図６】従来のガゼット折りを底部に利用した植栽用バッグの製造方法を説明するための要部斜視図。
【符号の説明】
４            半折体
４’          ガゼット／半ガゼット付半折体
４ａ          ガゼット
４ｂ、４ｂ’  半ガゼット
１ａ          表フィルム部
１ｂ          裏フィルム部
８            ヒートシール部
９            切断線
１３          パンチ穴
１４ｂ、１４ｂ’  １４ｂ’’  補強部
１１、１５、１６            袋体
１４          開閉手段
Ｘ、Ｙ        長さ
１７          係止孔
１８          易開封手段
１９          補強部
【図１】
2004292043.tif 000003
【図２】
2004292043.tif 000004
【図３】
2004292043.tif 000005
【図４】
2004292043.tif 000006
【図５】
2004292043.tif 000007
【図６】
2004292043.tif 000008